(57)【特許請求の範囲】
【請求項１】
踵がつま先よりも地面から離間した装着姿勢とするための起立状のヒール部を有する履物を使用者の足に装着することを補助するための履物用ホルダであって、
使用者の足首に対して固定される第１固定手段と、
上記第１固定手段に連結されるとともに、上記履物に対して固定される第２固定手段と、を備えており、
上記第１固定手段は、使用者の足首を包囲するベルトであり、
上記第２固定手段は、上記ヒール部を包囲するとともに、上記ヒール部を着脱可能に貫通させて当該ヒール部に固定されるように、上記ベルトの両端に設けられた１対の係合リングである、履物用ホルダ。
【請求項２】
上記ベルトは、芯材とゴム紐とからなる、請求項１に記載の履物用ホルダ。
【請求項３】
上記ゴム紐は上記芯材の幅方向中央に位置する、請求項２に記載の履物用ホルダ。
【発明の詳細な説明】
【技術分野】
【０００１】
本発明は、サンダルなどの履物を使用者の足に装着することを補助するために用いられる履物用ホルダに関する。
【背景技術】
【０００２】
おもに女性向けの履物として、いわゆるハイヒールと呼ばれる靴や、ミュールと呼ばれるタイプのサンダルなど、ヒール部が高い履物が広く普及している。これらのハイヒールやミュールは、使用者の足元をすらりと見せる効果があり、華やかな装いを引き立てる履物として好まれている。
【０００３】
図６は、従来のサンダルの一例を示している。本図に示すサンダルＸは、底板９１と甲ベルト９２と足首ベルト９３とを備えている。サンダルＸを履くには、甲ベルト９２に使用者のつま先をくぐらせ、足首ベルト９３に使用者の足首を通す。足首ベルト９３は着脱可能とされている。足首ベルト９３を取り去ると、サンダルＸは甲ベルト９２のみにより使用者の足に装着される。このように、サンダルＸは、足首ベルト９３を取り外すことにより、いわゆるミュールとして使用することが可能となっている。
【０００４】
しかしながら、サンダルＸをミュールとして使用する場合、使用者が歩行すると、足を蹴り出す際に、底板９１が踵からいったん離れたのちに、再び踵に接する。この動きにより、踵と底板９１とが衝突する音が生じる。この音は、歩行動作の一歩ごとに生じる。華やかに装って歩行する場においては、このような音は周囲の人々に不快な印象を与えることがある。
【０００５】
サンダルＸによれば、足首ベルト９３を取り付けることにより、上述した音の発生を防止することが可能である。しかしながら、周囲の雰囲気に応じて足首ベルト９３を装着することは、面倒である。また、底板９１には、足首ベルト９３を固定するための止め具９４が必要となる。この留め具９４は、サンダルＸをミュールとして使用する場合にも外観に表れるため、美観を損ねるという不具合がある。
【０００６】
【特許文献１】実用新案登録第３１０６８７０号公報
【発明の開示】
【発明が解決しようとする課題】
【０００７】
本発明は、上記した事情のもとで考え出されたものであって、いわゆるハイヒールやミュールの装着を補助するものとして、美観を損なうことなく不快な音の発生を防止することが可能な履物用ホルダを提供することをその課題とする。
【課題を解決するための手段】
【０００８】
上記課題を解決するため、本発明では、次の技術的手段を講じている。
【０００９】
本発明の第１の側面によって提供される履物用ホルダは、踵がつま先よりも地面から離間した装着姿勢とするための起立状のヒール部を有する履物を使用者の足に装着することを補助するための履物用ホルダであって、使用者の足首に対して固定される第１固定手段と、上記第１固定手段に連結されるとともに、上記履物に対して固定される第２固定手段と、を備えており、上記第２固定手段は、上記ヒール部を包囲するとともに、上記ヒール部に着脱可能に固定されるように構成されている。
【００１０】
本発明の好ましい実施の形態においては、上記第２固定手段は、上記ヒール部を貫通させる係合リングを含む。
【００１１】
本発明の好ましい実施の形態においては、上記第１固定手段は、使用者の足首を包囲するベルトである。
【００１２】
本発明の好ましい実施の形態においては、上記ベルトは、環状とされるための留め具を備えている。
【００１３】
本発明の好ましい実施の形態においては、上記第２固定手段は、上記ベルトから延びる連結ストリップと、この連結ストリップに取り付けられた係合リングとを含む。
【００１４】
本発明の好ましい実施の形態においては、上記第２固定手段として、上記ベルトの両端に上記ヒール部を貫通させる１対の係合リングが設けられている。
【００１５】
本発明の第２の側面によって提供される履物用ホルダは、踵がつま先よりも地面から離間した装着姿勢とするための起立状ヒール部を有する履物を使用者の足に装着することを補助するための履物用ホルダであって、使用者の足首に固定される装飾用ベルトと、上記装飾用ベルトに連結され、かつ上記ヒール部を包囲するとともに、上記ヒール部に着脱可能に固定される係合部材とを備えている。
【００１６】
本発明の第３の側面によって提供される履物用ホルダは、履物とは別に供給されるとともに、踵がつま先よりも地面から離間した装着姿勢とするための起立状のヒール部を有する履物を使用者の足に装着することを補助するための履物用ホルダであって、使用者の足首に対して固定される第１固定手段と、上記第１固定手段に連結されるとともに、上記履物に対して固定される第２固定手段と、を備えており、上記第２固定手段は、上記ヒール部に着脱可能に固定されるように構成されている
【発明を実施するための最良の形態】
【００１７】
以下、本発明の好ましい実施の形態につき、図面を参照して具体的に説明する。
【００１８】
図１および図２は、本発明に係る履物用ホルダを説明するための参考例を示している。本参考例の履物用ホルダＡ１は、ベルト１Ａと、係合リング２Ａと、連結ストリップ３とを備えている。図１は、サンダルＳを履いた使用者の足Ｌに履物用ホルダＡ１を装着した状態を示している。サンダルＳは、比較的高い起伏状のヒール部Ｈを有しており、使用者のつま先Ｆａに対して固定される、いわゆるミュールと呼ばれるものである。使用者は、サンダルＳを履くと、踵Ｆｂがつま先Ｆａよりも地面から高い姿勢をとることとなる。
【００１９】
ベルト１Ａは、足首Ａｋを包囲することにより、足首Ａｋに対して固定されるものであり、第１固定手段の一例である。図１に示すように、ベルト１Ａは、足首Ａｋに対して固定されるときには、環状とされる。図２は、ベルト１Ａを非環状の状態として展開した状態を示している。本図に示すように、ベルト１Ａは、芯材１０ａと、この芯材１０ａの表側に取り付けられた複数のスパンコール１０ｂと、留め具１１ａ，１１ｂとを有している。
【００２０】
芯材１０ａは、ゴム糸と毛糸とが編みこまれた布地からなり、伸縮可能である。複数のスパンコール１０ｂは、光を乱反射させることにより履物用ホルダＡ１に華やかな光沢感を与えるためのものであり、芯材１０ａに縫い付けられている。留め具１１ａ，１１ｂは、留め具１１ａの爪が留め具１１ｂの切り込みに係止可能となっている。留め具１１ａ，１１ｂを係止すると、ベルト１Ａは、その両端が締結され、図１に示す環状の状態となる。本参考例においては、芯材１０ａは、その長さが２００ｍｍ程度、その幅が４０ｍｍ程度とされている。
【００２１】
連結ストリップ３は、ベルト１Ａからほぼ直角に延びており、ベルト１Ａと係合リング２Ａとを連結するためのものである。連結ストリップ３は、ベルト１Ａと同様に、ゴム糸と毛糸とが編みこまれた布地からなる芯材１０ａと複数のスパンコール１０ｂとからなる。本参考例においては、連結ストリップ３は、その長さが７０ｍｍ程度、その幅が４０ｍｍ程度とされている。
【００２２】
係合リング２Ａは、図１に示すように、履物用ホルダＡ１をサンダルＳのヒール部Ｈに対して固定するためのものであり、第２固定手段の一例である。係合リング２Ａは、金属製であり、断面円形状である。係合リング２Ａは、その内径が２５ｍｍ程度とされている。
【００２３】
次に、履物用ホルダＡ１の作用について説明する。
【００２４】
本参考例によれば、履物用ホルダＡ１により、サンダルＳのヒール部Ｈが使用者の足首Ａｋに対して固定される。このため、使用者がサンダルＳを履いて歩行しても、踵ＦｂからサンダルＳの後部が大きく離れることが無い。これにより、踵ＦｂとサンダルＳとが衝突しあうことを回避可能であり、歩行の際に不当に大きな音が生じることを防止できる。したがって、周囲の人々に不快な印象を与えるおそれが無く、穏やかに歩行することができる。
【００２５】
芯材１０ａが伸縮可能であることにより、ベルト１Ａが足首Ａｋを適度に締め付ける状態とすることが可能である。これにより、履物用ホルダＡ１が足首Ａｋから不当にずれてしまうことを防止できる。また、連結ストリップ３が伸縮可能であれば、たとえば、ベルト１Ａに足首Ａｋを固定した後に、係合リング２Ａを引っ張って連結ストリップ３を伸張させ、係合リング２Ａにヒール部Ｈを貫通させることが可能である。したがって、履物用ホルダＡ１を容易に装着できる。
【００２６】
履物用ホルダＡ１は、複数のスパンコール１０ｂが付されているため、キラキラとした外観を呈する。これにより、サンダルＳを足首Ａｋに対して適切に固定する機能に加えて、見る者に華やかな印象を与えるという効果が期待できる。
【００２７】
図３および図４は、本発明に係る履物用ホルダの実施形態を示している。なお、これらの図においては、上記参考例について既述した要素と同一または類似の要素を同一符号で示し、その説明を適宜省略する。
【００２８】
図３および図４のうちの図３は、本実施形態に係る履物用ホルダＡ２の使用状態を示しており、図４は、履物用ホルダＡ２が展開された状態を示している。図４に示すように、履物用ホルダＡ２は、ベルト１Ｂと１対の係合リング２Ａとを備えている。
【００２９】
ベルト１Ｂは、芯材１０ａとゴム紐１０ｃとからなる。芯材１０ａは、たとえば花柄模様などが織り込まれたレース布である。ゴム紐１０ｃは、芯材１０ａの幅方向中央に位置する。ゴム紐１０ｃは、その長さが７００ｍｍ程度とされている。芯材１０ａは、その長さが１４００ｍｍ程度とされており、ゴム紐１０ｃの伸長状態における長さと同程度の長さである。芯材１０ａは、ゴム紐１０ｃの自然長に併せて、弛ませた状態でゴム紐１０ｃと縫い付けられている。ベルト１Ｂの中央区間１Ｂａは、図３に示すように、足首Ａｋに巻きつけられることにより、履物用ホルダＡ２を足首Ａｋに対して固定するために用いられる部位である。
【００３０】
ベルト１Ｂの両端には、１対の係合リング２Ａが取り付けられている。履物用ホルダＡ２が使用される際には、まず、片方の係合リング２Ａにヒール部Ｈを通した後に、中央区間１Ｂａを足首Ａｋに巻きつける。そして、他方の係合リング２Ａにヒール部を通す。こうすることにより、図３に示す装着状態が実現される。
【００３１】
本実施形態によれば、使用者の足首Ａｋの大きさに合わせて中央区間１Ｂａの巻き付け具合を調節することが可能である。したがって、さまざまなサイズの足首Ａｋに対してサンダルＳを適切に固定することができる。
【００３２】
図５は、履物用ホルダの他の参考例を示している。本参考例に係る履物用ホルダＡ３は、第１固定手段としてＣ型リング１Ｃを、第２固定手段としてＣ型リング２Ｂを備えている点が、上述した実施形態と異なっている。
【００３３】
Ｃ型リング１Ｃは、Ｃ字形状であり、たとえば弾性を有する透明樹脂製である。Ｃ型リング１Ｃは、その内径が８０ｍｍ程度、断面直径が５ｍｍ程度とされている。Ｃ型リング１Ｃを足首Ａｋに装着するには、Ｃ型リング１Ｃの両端１Ｃａ間の隙間を広げておき、足首Ａｋをこの隙間に通す。
【００３４】
Ｃ型リング２Ｂは、たとえば断面円形状の金属製であり、連結ストリップ３を介してＣ型リング１Ｃと連結されている。Ｃ型リング２Ｂは、その内径が２５ｍｍ程度とされている。Ｃ型リング２Ｂをヒール部Ｈに装着するには、上述した実施形態と同様に、ヒール部ＨをＣ型リング２Ｂに貫通させる。連結ストリップ３は、たとえば透明樹脂製であり、断面直径が５ｍｍ程度とされている。
【００３５】
このような参考例によっても、踵ＦｂとサンダルＳとにより不快な音が生じることを防止することができる。また、Ｃ型リング１Ｃおよび連結ストリップ３がいずれも透明樹脂製であることにより、履物用ホルダＡ３は、目立ちにくいものとなっている。このため、あたかもサンダルＳだけを履いているような外観を呈し、見る者に涼しげな印象を与えることができる。
【００３６】
本発明に係る履物用ホルダは、上述した実施形態に限定されるものではない。本発明に係る履物用ホルダの各部の具体的な構成は、種々に設計変更自在である。
【００３７】
【００３８】
履物用ホルダの材質としては、布、ゴム、樹脂、金属など、あらゆる材質を用いることができる。
【図面の簡単な説明】
【００３９】
【図１】本発明に係る履物用ホルダを説明するための参考例を示す全体斜視図である。
【図２】参考例に係る履物用ホルダの全体展開平面図である。
【図３】本発明に係る履物用ホルダの実施形態を示す全体斜視図である。
【図４】本発明に係る履物用ホルダの実施形態を示す全体展開平面図である。
【図５】本発明に関連する履物用ホルダの他の参考例を示す全体斜視図である。
【図６】従来の履物の一例を示す全体斜視図である。
【図１】
0004795340.tif 000002
【図２】
0004795340.tif 000003
【図３】
0004795340.tif 000004
【図４】
0004795340.tif 000005
【図５】
0004795340.tif 000006
【図６】
0004795340.tif 000007